(57)【要約】【目的】本発明は、受信したメールを予め設定した状況に応じて音響部で読み上げる無線端末装置に関し、予め電子メールを受信したときの読み上げの動作と回数を設定し、外部装置の接続による読み上げ先について設定しておく。電子メールを受信したら、外部装置の状態を判断して予め設定された出力先で予め設定した回数まで電子メールを読み上げる。【構成】無線通信で電子メールを受信できる機能を有する無線端末装置であって、読み上げる設定や読み上げ回数を設定するための入力部と、前記入力部の決定を記憶させる記憶部と、電子メールなどの文字情報を読み上げるための音響部と、を有し、予め前記記憶部に読み上げる設定と読み上げ回数を設定して、電子メールを受信したときに前記音響部を使って読み上げることを特徴とした無線端末装置。【選択図】図１
2012175434.tif 000002
【特許請求の範囲】
【請求項１】
無線通信で電子メールを受信できる機能を有する無線端末装置であって、
読み上げる設定や読み上げ回数を設定するための入力部と、
前記入力部の決定を記憶させる記憶部と、
電子メールなどの文字情報を読み上げるための音響部と、
を有し、予め前記記憶部に読み上げる設定と読み上げ回数を設定して、電子メールを受信したときに前記音響部を使って読み上げることを特徴とした無線端末装置。
【請求項２】
イヤホンが前記無線端末装置に接続されたときに、前記読み上げる設定によって出力先を切り替えることができることを特徴とする請求項１記載の無線端末装置。
【請求項３】
スイッチを設けたイヤホンを前記無線端末装置に接続し、イヤホンのスイッチを操作したときに読み上げを開始することを前記読み上げる設定に設定できることを特徴とする請求項１記載の無線端末装置。
【請求項４】
前記記憶部に設定した読み上げ設定を、外部から入力した信号に応じて読み上げる設定を変更することを特徴とした請求項１ないし請求項３記載の携帯型無線端末装置。
【発明の詳細な説明】
【技術分野】
【０００１】
本発明は、受信したメールを予め設定した状況に応じて音響制御部で読み上げる出力先を切り替える無線端末装置に関する。
【背景技術】
【０００２】
無線端末装置で電子メールを受信した場合、ＬＣＤなどの表示部に電子メールの内容を表示して読んでいた。そのため作業中は作業を中断するか作業の合間に電子メールを確認したり、また運転中に電子メールを受信した場合は、車両を停車して電子メールを確認していた。
【０００３】
特許文献１には、表示中の電子メールを音声で読み上げる機能に関する方法が記載されている。
【０００４】
また、非特許文献１には、音声読み上げの設定により、読み上げる機能に関する方法が記載されている。
【先行技術文献】
【特許文献】
【０００５】
【特許文献１】特開２００６−０１４２４０号公報
【非特許文献】
【０００６】
【非特許文献１】株式会社エヌ・ティ・ティ・ドコモ、らくらくホン６(F-10A)取扱説明書  p143、平成２２年７月８日検索、＜URL: http://www.nttdocomo.co.jp/binary/pdf/support/trouble/manual/download/f10a/F-10A_J_07.pdf＞
【発明の概要】
【発明が解決しようとする課題】
【０００７】
しかし、上述した従来例には次のような問題があった。
【０００８】
電子メールを受信すると、読み上げ操作を指示する必要があったために、作業の中断や停車などをして、無線端末装置の操作をする必要があった。
【０００９】
また、イヤホンの挿抜による動作の変更や、タクシー運転手がメールを受けたときにメータの状態が変更したことによる動作の変更をするものではなかった。
【００１０】
そこで、前記課題を解決するために、本発明は、電子メールを受信した場合に予め読み上げの動作と回数を設定し、その上で外部装置の状態を判断して電子メールを読み上げる先をイヤホンとスピーカで切り替えることを目的とする。
【課題を解決するための手段】
【００１１】
上記目的を達成するために、無線端末装置は、予め電子メールを受信したときの読み上げの動作と回数を設定し、外部装置の接続による読み上げ先について設定しておく。電子メールを受信したら、外部装置の接続に応じて予め設定された出力先で予め設定した回数まで電子メールを読み上げることとした。
【００１２】
本発明は、読み上げる設定や読み上げ回数を設定するための入力部と、前記入力部の決定を記憶させる記憶部と、電子メールなどの文字情報を読み上げるための音響部と、を有し、予め前記記憶部に読み上げる設定と読み上げ回数を設定して、電子メールを受信したときに前記音響部を使って読み上げることを特徴とする無線端末装置である。
【００１３】
また、本発明は、イヤホンが前記無線端末装置に接続されたときに、前記読み上げる設定によって出力先を切り替えることができることを特徴とする無線端末装置である。
【００１４】
また、本発明は、スイッチを設けたイヤホンを前記無線端末装置に接続し、イヤホンのスイッチを操作したときに読み上げを開始することを前記読み上げる設定に設定できることを特徴とする無線端末装置である。
【００１５】
また、本発明は、前記記憶部に設定した読み上げ設定を、外部から入力した信号に応じて読み上げる設定を変更することを特徴とした請求項１ないし請求項３記載の携帯型無線端末装置。
【発明の効果】
【００１６】
電子メールを受信すると、予め設定した回数まで読み上げてくれる。また、外部機器の接続状況によって読み上げる出力先をイヤホンとスピーカで切り替えることができるようになった。
【図面の簡単な説明】
【００１７】
【図１】本発明の無線端末装置のブロック図を示す。
【図２】読み上げの設定をするフローチャート図を示す。
【図３】優先度をイヤホンに設定してある場合に、イヤホンが未接続のときに、スピーカに切り替えるフローチャート図を示す。
【図４】電子メールを読み上げる場合のフローチャート図を示す。
【図５】外部機器に連動して、読み上げる場合のフローチャート図を示す。
【図６】イヤホンのスイッチを操作してイヤホンへ出力を切り替えるフローチャート図を示す。
【発明を実施するための形態】
【００１８】
本発明を説明するために、無線端末装置１０の構成を図１に示す。無線で通信を行う無線通信部１１０、無線通信を行うためのアンテナ１１２、電子メールをテキストに変換して保存したり読み上げの設定を保存するための記憶部であるメモリ１２０、音声やテキストを読み上げるための音響部であるスピーカ１３０、無線端末装置の状態や受信した電子メールを表示するためのＬＣＤ（ＬｉｃｑｕｉｄＣｒｙｓｔａｌＤｉｓｐｌａｙ：液晶表示ディスプレイ）１４０、内部に読み上げた回数をカウントするカウンタを持つＣＰＵ１５０、読み上げ設定や読み上げ回数を入力する入力部１６０、イヤホン又はスピーカを読み上げ設定に応じて切り替えを制御する音響制御部１７０、耳に差し込んで聞くためのイヤホンを接続するためのイヤホン端子２１０、外部機器との接続をする外部端子２２０を持つ。
【００１９】
なお、本明細書及び図面において符号が同じ構成要素は、相互に同一のものを示しており、同一の符号の構成については説明を省略する。
【００２０】
（実施例１）
設定による無線端末装置の読み上げ動作について、図２で説明する。
無線端末装置１０に電子メールを受信したときに読み上げ動作に関する設定をする（Ｓ２０１）。読み上げる設定にした場合（Ｓ２０１でＹｅｓ）、読み上げ回数の設定を入力する（Ｓ２１１）。読み上げ回数の設定を確認（Ｓ２１２）し、読み上げ回数の設定が０に設定された場合（Ｓ２１２でＮｏ）は、Ｓ２１１へ戻る。Ｓ２１２で読み上げ回数の設定が１以上のとき（Ｓ２１２でＹｅｓ）、外部機器の連動を設定する（Ｓ２１３）。図示していないイヤホン、スピーカ１３０と外部機器からの外部信号によって出力先の優先度を音響制御部１７０に設定する（Ｓ２１４）。電子メールを受信したときに、読み上げの設定をしない場合（Ｓ２０１でＮｏ）と、Ｓ２１４まで設定したら、読み上げ回数の設定をメモリ１２０へ記録する（Ｓ２０２）。
【００２１】
なお、読み上げの設定をメモリへ記録するとしたが、このメモリは電源を切っても設定を保持する不揮発性メモリが適切であるが、ハードディスクや外部のメモリカードなどに保存しても良いし、電源を切った場合には設定を破棄しても良い。
【００２２】
なお、Ｓ２１２で読み上げ回数に０を設定した場合は、読み上げない設定としてメモリへ保存しても良い。
【００２３】
（実施例２）
無線端末装置１０の読み上げ設定で、優先度がイヤホンとなっているにもかかわらず、イヤホンがイヤホン端子２１０に接続されていない場合の動作について、図３で説明する。メモリ１２０に設定してある出力先の優先度を確認する（Ｓ３０１）。優先度がイヤホンであるか確認する（Ｓ３０２）。優先度がイヤホンの場合（Ｓ３０２でＹｅｓ）、イヤホンの接続を確認する（Ｓ３１１）。イヤホンが未接続の場合（Ｓ３１１でＹｅｓ）、出力先の優先度の設定をスピーカ１３０に変更して、設定をメモリ１２０へ保存する（Ｓ３１２）。イヤホンが優先で無い場合（Ｓ３０２でＮｏ）、イヤホンが接続されている場合（Ｓ３１１でＮｏ）とＳ３１２で設定をメモリへ保存したら、出力先の優先度の確認を終了する。
【００２４】
（実施例３）
無線端末装置１０で電子メールを受信したときに読み上げ回数までメールを読み上げる動作について、図４で説明する。ＣＰＵ内部の読み上げカウンタを０にクリアする（Ｓ４０１）。電子メールの受信を待つ（Ｓ４０２）。電子メールを受信したら（Ｓ４０２でＹｅｓ）、読み上げる設定か確認する（Ｓ４１１）。読み上げない設定の場合（Ｓ４１１でＮｏ）であれば、Ｓ４０２へ戻る。読み上げる設定の場合（Ｓ４１１でＹｅｓ）。読み上げない設定の場合（Ｓ４１１でＮｏ）、Ｓ４０２へ戻る。読み上げる設定の場合は、電子メールを読み上げて、読み上げカウンタを１増やす（Ｓ４１２）。読み上げカウンタが予め設定した回数と同じ回数であるかを確認する（Ｓ４１３）。読み上げカウンタが設定回数より小さい場合（Ｓ４１３でＮｏ）、Ｓ４１２に戻る。読み上げカウンタが設定回数と同じ場合（Ｓ４１３でＹｅｓ）、読み上げカウンタを０にして、Ｓ４０２に戻る（Ｓ５１４）。
【００２５】
（実施例４）
タクシーで使用される場合、タクシーメータの中にある操作スイッチでは例えば、空車、賃走、割増、支払などのさまざまな状況を表示しているが、このタクシーメータを無線端末装置と連動して電子メールを読み上げる方法について、図５で説明する。
【００２６】
なお、外部機器であるタクシーメータから無線端末装置へ送る信号を外部信号とし、その外部信号が０Ｖのときにタクシーメータが空車と判断して、電子メールを読み上げることにする。また、スピーカで読み上げる設定であるとする。
【００２７】
ＣＰＵ内部の読み上げカウンタを０にクリアする（Ｓ５０１）。電子メールの受信を待つ（Ｓ５０２）。電子メールを受信していない場合（Ｓ５０２でＮｏ）、Ｓ５０２へ戻る。電子メールを受信したら（Ｓ５０２でＹｅｓ）、外部信号を確認する（Ｓ５１１）。外部信号が０Ｖ以外（Ｓ５１１でＮｏ）であれば、Ｓ５０２へ戻る。外部信号が０Ｖのとき（Ｓ５１１でＹｅｓ）、メールを読み上げて、読み上げカウンタを１増やす（Ｓ５１２）。読み上げカウンタが予め設定した回数と同じ回数であるかを確認する（Ｓ５１３）。読み上げカウンタが設定回数より小さい場合（Ｓ５１３でＮｏ）、Ｓ５１２に戻る。カウンタが設定回数と同じ場合（Ｓ５１３でＹｅｓ）、読み上げカウンタを０にして、Ｓ５０２に戻る（Ｓ５１４）。
【００２８】
なお、外部機器としてタクシーメータとしたがこの限りではなく、バスの行き先を表示する装置などと連動しても良いし、緊急車両では回転灯やサイレンなどと連動しても良い。
【００２９】
なお、空車の場合は外部入力信号が０Ｖ、空車以外の場合を５Ｖとして説明したが、この限りではない。
【００３０】
（実施例５）
イヤホンにスイッチを設け、無線端末装置にイヤホンが接続された状態で、前記スイッチを操作することで出力先をイヤホンへ切り替える方法について、図６で説明する。
【００３１】
イヤホンのスイッチを確認する（Ｓ６０１）。スイッチが導通している場合（Ｓ６０２でＹｅｓ）、出力先をイヤホンへ切り替える（Ｓ６１１）。スイッチが導通していない場合（Ｓ６０２でＮｏ）、出力先をスピーカに切り替える（Ｓ６０３）。Ｓ６０３とＳ６１１で出力先を切り替えたら、出力先の設定をメモリへ記録する（Ｓ６０４）。
【００３２】
なお、イヤホンのスイッチが導通したときにイヤホンで出力するとしたが、この限りではない。
【００３３】
なお、イヤホン端子としたが、イヤホンとマイクが一体の構造であるものを含むのは言うまでもない。
【００３４】
なお、読み上げない設定の場合は、受信した電子メールはＬＣＤに表示されるのは言うまでもない。
【００３５】
なお、読み上げの設定や読み上げ回数は入力部で行うが、０から９までの数字キーでの入力の他に、音量やチャンネル用のツマミなどで設定することができるのは言うまでもない。
【符号の説明】
【００３６】
１０    無線端末装置
１１０  無線通信部
１１２  アンテナ
１２０  メモリ
１３０  スピーカ
１４０  ＬＣＤ
１５０  ＣＰＵ
１６０  入力部
１７０  音響制御部
２１０  イヤホン端子
２２０  外部端子
【図１】
2012175434.tif 000003
【図２】
2012175434.tif 000004
【図３】
2012175434.tif 000005
【図４】
2012175434.tif 000006
【図５】
2012175434.tif 000007
【図６】
2012175434.tif 000008